(57)【要約】      （修正有）【課題】生徒が複数受講しても集中力を低下させることなく、また教育サービスへの出資者の負担の小さいフランチャイズネットワーク授業システムの提供。【解決手段】ユーザ情報データと講師情報データと営業情報データを記憶するメモリを備える授業管理サーバと複数の端末とをネットワークを介して接続した授業システムであって、授業管理サーバは前記メモリ内に生徒授業接続情報と入金情報と成績評価情報などを前記メモリに検索可能に記録する生徒管理プログラムと、講師授業接続履歴情報と前記講師授業接続履歴情報などから算出される給与情報とを前記メモリに検索可能に記録する講師管理プログラムと、担当者情報と予め定められたロイヤリティ情報とを前記メモリに検索可能に記録する営業情報プログラムとを備え、前記端末は操作者の映像と音声情報と手書き文字情報を双方向に入出力させる授業プログラムを備える。【選択図】図１
2005063102.tif 000002
【特許請求の範囲】
【請求項１】
ユーザ情報データと講師情報データと営業情報データを記憶するメモリを備えるフランチャイズ本部授業管理サーバと複数の端末とをネットワークを介して接続したフランチャイズネットワーク授業システムであって、フランチャイズ本部授業管理サーバは前記メモリ内に生徒認証履歴情報と生徒授業接続情報と入金情報と成績評価情報を前記メモリに検索可能に記録する生徒管理プログラムと、講師認証履歴情報と講師授業接続履歴情報と前記講師授業接続履歴情報から算出される給与情報とを前記メモリに検索可能に記録する講師管理プログラムと、担当者情報と予め定められたロイヤリティ情報とを前記メモリに検索可能に記録する営業情報プログラムとを備え、前記端末は操作者の映像と音声情報と手書き文字情報を双方向に入出力させる授業プログラムを備えるフランチャイズネットワーク授業システム。
【請求項２】
フランチャイズ本部授業管理サーバは、Ｗｅｂアプリケーションプログラムを備えるウェブサーバと、仮想私設回線を構築するＶＰＮサーバと、仮想教室メモリを有するディレクトリサーバと、フランチャイズシステムデータベースを備えるデータベースサーバとからなることを特徴とする請求項１記載のフランチャイズネットワーク授業システム。
【請求項３】
ＶＰＮサーバは、ＶＰＮ接続可能な端末とはＶＰＮ接続で接続し、グローバルＩＰ接続でしか接続できない場合は、ＶＰＮ接続することなくグローバルＩＰ接続とすることを選択できる請求項１記載のフランチャイズネットワーク授業システム。
【請求項４】
フランチャイズシステムデータベースは、生徒認証履歴情報と生徒授業接続情報と入金情報と成績評価情報とフランチャイジの利益配分割合情報とトラブル情報とを含むユーザ情報管理データと、講師認証履歴情報と講師授業接続履歴情報と前記講師授業接続履歴情報から算出される給与情報とを含む講師情報管理データと、授業コース情報と顧客授業予約情報と講師授業スケジュール情報と授業実績情報とを含む授業予約管理データと、生徒からの授業料入金情報とフランチャイジ利益配分額情報と指導センタ利益配分額情報と講師賃金情報とフランチャイザ収支情報とからなることを特徴とする請求項２記載のフランチャイズネットワーク授業システム。
【請求項５】
ユーザ情報データと講師情報データと営業情報データを記憶するメモリを備えるフランチャイズ本部授業管理サーバによる複数の端末を利用したフランチャイズネットワーク授業方法であって、端末からのアクセスを認証するステップと、認証されたアクセスをディレクトリサーバ上の所定の仮想教室ディレクトリに接続させるステップと、仮想教室ディレクトリに接続される複数のアクセス同士が授業プログラムを同時に動作させるステップとからなるフランチャイズネットワーク授業方法。
【請求項６】
請求項１記載の端末を有する教育用建物であって、建物にはブロードバンド配線用の装置と一つのインターネット接続装置と、複数台のパーソナルコンピュータと、管理人用座席を有するフランチャイズネットワーク授業建物。
【発明の詳細な説明】
【技術分野】
【０００１】
本発明は、対面映像と手書き情報と音声情報を伴ったフランチャイズネットワーク授業システムに関し、特に本授業システムをフランチャイズ展開するためのプログラムを含んだフランチャイズネットワーク授業システムとフランチャイズネットワーク授業方法並びにフランチャイズネットワーク授業システムを使用するフランチャイズネットワーク授業建物に関する。
【背景技術】
【０００２】
過去の教育では生徒は講師が現実に存在する場所でのみ授業を受けることができた。その後、録画装置やテレビジョン中継装置等の発達により講師と生徒同士が時間を合わせたり、直接会うことがなくとも講義を受けることができるようになった。また、講師１人によって大勢の生徒に対して講義ができるため講義の一人当たりに対する人件費のコストダウンが図れるようにもなった。
【０００３】
しかしながら、録画装置やテレビジョン中継装置等を利用する講義は、コミュニケーションが一方通行となるという課題や、各人に適するように講義内容を変更することが困難であるという課題を有していた。そこで、講義について講師の移動を伴わずに双方向のコミュニケーションを可能にし、少人数で受講することにより質問等が容易になり各人に適した教育が行なえる手法としてネットワーク教育手法が提案されている。
【０００４】
一方、良質の教育手法を普及させる等のビジネスを、小資本で全国展開させ、広く普及させる手法としてフランチャイズシステムが提案されている。
【０００５】
例えば、特許文献１は、複数の教室を運営のコア情報を分類・分散して管理するとともに、事業者・会場・講師の三者間でコア情報の一部乃至全てを共有する発明が記載されており、生徒管理、授業の予約方法、出席管理の方法を含むフランチャイズ方式について提案されている。
【０００６】
また、特許文献２には、インターネット経由で遠隔授業を行なうネット加盟塾を形成することにより、お互いの映像やペン入力情報を含む双方向コミュニケーションによって学習効果を高め、かつネット加盟塾の利用状況をインターネットで一元管理することのできるネット加盟塾の運営管理システムについて提案されている。
【０００７】
これらのネットワーク経由の教育手法を採用する場合の課題として、講師一人に対して生徒が一人である場合に、講師の移動や転勤等の必要がないという利点を有する一方で、生徒一人当たりに係る人件費コストの低下には限界がある。
【０００８】
そこで、講師を特定の拠点に会し一講師が担当する生徒の人数を増加させることで、生徒一人当たりのコストを低下させることができる。しかしながら、講師１人当たりの生徒数の増加には２つの課題が生じる。
【０００９】
特に、別個の家庭の子弟である複数の生徒を対象とする場合に、各家庭のネットワーク接続環境が統一されていないという課題がある。すなわち、各家庭のネットワーク接続環境は、家庭の事情や地域の環境により全く異なる。一方、フランチャイズネットワーク授業は接続される生徒全員に同一の接続速度でデータを送受信する必要がある。このため、いくら、高速のネットワーク接続環境を有する生徒であっても、同時に受講する生徒の中に低速回線のネットワーク接続環境しか有さない生徒がいる場合は、同時に受講する全生徒に対する接続速度は低速回線の接続速度に下げなければならないという課題を有している。
【００１０】
次の課題は複数の生徒が未就学児や小学生低学年である場合に集中力を持続させるのに限界がある点である。同一の場所にいる生徒に対しては、講師が一喝することで注意を向けさせることが可能であるが、それぞれ別地点にいる生徒を注意する場合に、一喝したとしても生徒が講師と共にいない以上、生徒は誰がしかられているのか実感がわかず、集中力の欠けた生徒を注意するにも限界がある。そのため、生徒が未就学児や小学生低学年の場合に、同時受講できる人数を減少させる必要があり、生徒一人当たりの単価を上昇させる要因となる。
【００１１】
また、上記の課題の他によりよい教育手法を全国に展開するに当たり、従来の教育手法は、幾つかの課題を有している。すなわち、教育サービスを行なうには、教育する場所である教室の提供と、講師人材の確保と、生徒の確保の負担が生じている。このため、教育サービスを提供するにはリスクが高いためチャンスを有するものが、必ずしも教室の提供には至っていない。
さらに、従来は、インターネットへの接続方式としてプロバイダを通じてインターネットに接続する際に、固定されたグローバルＩＰを割り振られるブローバルＩＰ接続方式と、プロバイダ接続時に毎回異なるＩＰを入手する方法があった。インターネットを経由した教育を行なう際に、個人を特定する場合、グローバルＩＰであれば容易に決定できる長所を有する一方、コストやセキュリティを自己責任で管理する等、ユーザ側の負担が大きかった。
そこで、毎回異なるＩＰで接続した場合にも認証可能な方法として、ＶＰＮ（仮想専用線接続）が提案されている。
しかし、この場合、グローバル接続とＶＰＮの両立が困難でありその対応が求められていた。
【００１２】
【特許文献１】特開２００３−７６７９３公報
【特許文献２】特開２００２−３６６６６８公報
【発明の開示】
【発明が解決しようとする課題】
【００１３】
そこで、解決しようとする問題点は、ネットワーク回線の生徒による接続速度を高速化するとともに、未就学児や小学生低学年の生徒が複数受講しても集中力を低下させることなく、また教育サービスへの出資者の負担の小さく、グローバルＩＰとＶＰＮとの接続のいずれにも対応可能な、フランチャイズネットワーク授業システムおよびフランチャイズネットワーク授業方法並びにフランチャイズネットワーク授業システムを使用する教室の提供にある。
【課題を解決するための手段】
【００１４】
本発明に係るフランチャイズネットワーク授業システムは、ユーザ情報データと講師情報データと営業情報データを記憶するメモリを備えるフランチャイズ本部授業管理サーバと複数の端末とをネットワークを介して接続したフランチャイズネットワーク授業システムであって、フランチャイズ本部授業管理サーバは前記メモリ内に生徒認証履歴情報と生徒授業接続情報と入金情報と成績評価情報を前記メモリに検索可能に記録する生徒管理プログラムと、講師認証履歴情報と講師授業接続履歴情報と前記講師授業接続履歴情報から算出される給与情報とを前記メモリに検索可能に記録する講師管理プログラムと、担当者情報と予め定められたロイヤリティ情報とを前記メモリに検索可能に記録する営業情報プログラムとを備え、前記端末は操作者の映像と音声情報と手書き文字情報を双方向に入出力させる授業プログラムを備えることを最も主要な特徴とする。
【００１５】
また、フランチャイズ本部授業管理サーバは、Webアプリケーションプログラムを備えるウェブサーバと、仮想私設回線を構築するＶＰＮサーバと、仮想教室メモリを有するディレクトリサーバと、フランチャイズシステムデータベースを備えるデータベースサーバとからなっても良い。
【００１６】
さらに、フランチャイズシステムデータベースは、生徒認証履歴情報と生徒授業接続情報と入金情報と成績評価情報とフランチャイジの利益配分割合情報とトラブル情報とを含むユーザ情報管理データと、講師認証履歴情報と講師授業接続履歴情報と前記講師授業接続履歴情報から算出される給与情報とを含む講師情報管理データと、授業コース情報と顧客授業予約情報と講師授業スケジュール情報と授業実績情報とを含む授業予約管理データと、生徒からの授業料入金情報とフランチャイジ利益配分額情報と指導センタ利益配分額情報と講師賃金情報とフランチャイザ収支情報とから構成されてもよい。ＶＰＮサーバは、ＶＰＮ接続可能な端末とはＶＰＮ接続で接続し、グローバル接続でしか接続できない場合は、ＶＰＮ接続することなくグローバル接続とすることを選択できる
【００１７】
本発明に係るフランチャイズネットワーク授業方法は、ユーザ情報データと講師情報データと営業情報データを記憶するメモリを備えるフランチャイズ本部授業管理サーバによる複数の端末を利用したフランチャイズネットワーク授業方法であって、端末からのアクセスを認証するステップと、認証されたアクセスをディレクトリサーバ上の所定の仮想教室ディレクトリに接続させるステップと、仮想教室ディレクトリに接続される複数のアクセス同士が授業プログラムを同時に動作させるステップとからなる。
本発明に係るフランチャイズネットワーク授業建物は、請求項１記載の端末を有する教育用建物であって、建物にはブロードバンド配線用の装置と少なくとも一つのインターネット接続装置と、複数台のパーソナルコンピュータと、管理人用座席を有する。
【発明の効果】
【００１８】
本発明のフランチャイズネットワーク授業システムおよびフランチャイズネットワーク授業方法により、生徒及び出資者の財政的負担が小さい教育サービスの提供が可能となり、また本発明に係るフランチャイズネットワーク授業建物によりネットワーク回線の生徒端末による接続速度を高速化するとともに、未就学児や小学生低学年の生徒が複数受講しても集中力を低下させることのない教育が可能なるという利点がある。
【発明を実施するための最良の形態】
【００１９】
ネットワーク回線の生徒による接続速度を高速化するとともに、未就学児や小学生低学年の生徒が複数受講しても集中力を低下させることなく、また教育サービスへの出資者の負担の小さいフランチャイズネットワーク授業システムおよびフランチャイズネットワーク授業方法並びにフランチャイズネットワーク授業システムを使用する教室の提供するという目的を実現した。
【実施例１】
【００２０】
図１は、本発明に係るフランチャイズネットワーク授業システム２の構成図であって、フランチャイズネットワーク授業システム２は、端末４ａと、端末４ａと接続されるインターネット接続装置３２とインターネット接続装置３２と接続するインターネット３４とインターネット３４に接続されるフランチャイズ本部授業管理サーバ３３とやはりインターネット３４に接続される他の端末４ｂとから構成される。
【００２１】
端末４ａは、中央演算処理装置ＣＰＵ６と、読み出しのみのＢＩＯＳ格納用のＲＯＭ８と、読出書込可能なＲＡＭ１０と、ＨＤＤ１２と、入力インターフェース１６と、出力インターフェース１８と、通信インターフェース２０とそれぞれが接続されるバス配線１４が示される。
【００２２】
入力インターフェース１６は、簡易カメラ２８と、ペン入力タブレット３０と、その他、図示されないマウス等のポインティングデバイスとキーボード等と接続される。
【００２３】
また、出力インターフェース１８は、モニタ２２とヘッドフォンとマイクとを有するヘッドセット２４と接続される。勿論、ヘッドセッドを使用せずに、マイクとスピーカを使用することも可能であるが、マイクとスピーカーによって発生するハウリング現象を防ぐためにも、ヘッドセッドの使用が好ましい。
【００２４】
さらに通信インターフェース２０は、インターネット接続装置３２と接続される。このインターネット接続装置３２がインターネット３４に接続される。
【００２５】
ＨＤＤ１２は、授業プログラムが記録される。授業プログラムは、データベースサーバ６２に対する認証処理と、フランチャイズシステムデータベース６４内の任意の情報管理および、授業プログラムを有する端末同士の映像情報と手書き文字情報の送受信を行なうプログラムである。これらの端末は、インターネット３４に接続され、簡易カメラ２８とヘッドセット２４とペン入力タブレット３０と図示しないキーボードとが接続される必要がある。このような構成において、授業プログラムは、モニタ２２上に相手映像ウィンドウと自分自身映像ウィンドウとホワイトボードウィンドウとを表示させる。ホワイトボードウィンドウには、接続している参加者端末並びに本人端末のいずれのペン入力タブレット３０からも入力された手書き入力情報が表示可能である。いずれの端末から入力された手書き入力情報もリアルタイムに他の接続される端末に表示されるホワイトボードウィンドウ全てに表示される。このため、同時に接続する端末使用者同士で手書き入力情報を共有できる。
【００２６】
ＲＡＭ１０は、端末４ａ動作時に一次記憶装置として臨時のデータが格納される。
【００２７】
ＲＯＭ８は、ＣＰＵ６動作の為に予め組込まれたプログラムまたはデータが格納される。
【００２８】
ＣＰＵ６は、バス１４を介してＲＯＭ８と、ＲＡＭ１０と、ＨＤＤ１２と、入力インターフェース１６と、出力インターフェース１８と、通信インターフェース２０とを制御する。
【００２９】
フランチャイズ本部授業管理サーバ３３は、内蔵または外付けされるＨＤＤに生徒管理プログラムと、講師管理プログラムと、営業情報プログラムと、生徒管理データベースと、講師管理データベースと、営業情報データベース、授業予約管理データベース、仮想教室ディレクトリ情報およびWebアプリケーションプログラムとが記録される。
【００３０】
生徒管理データベースは、生徒ＩＤ情報と、生徒個人情報と、各ＩＤのログイン時刻とログアウト時刻とからなる生徒認証履歴情報と受講コースデータ等の生徒授業接続情報と入金情報と成績評価情報とから構成される。
【００３１】
講師管理データベースは、講師ＩＤ情報と、講師個人情報と、各ＩＤのログイン時刻とログアウト時刻と授業コースデータと講師認証履歴情報と講師授業接続履歴情報と給与情報とから構成される。
【００３２】
営業情報データベースは、担当者情報と予め定められたロイヤリティ情報と、フランチャイジＩＤと、担当者名データと、ロイヤリティ比率と、担当生徒数と、積算ロイヤリティ額と、から構成される。
【００３３】
生徒管理プログラムは、予め生徒に割り当てたＩＤごとに、各ＩＤのログイン時刻、ログアウト時刻、受講コースデータが生徒ＩＤによるアクセス毎に生徒管理データベースに認証履歴を記録する。また、生徒管理プログラムは、入金額情報と、成績情報とを手入力または別途プログラムよりデータとして受け取り次第生徒管理データベースに記録する。
【００３４】
講師管理プログラムは、予め講師に割り当てたＩＤごとに、各ＩＤのログイン時刻、ログアウト時刻、授業コースデータが講師ＩＤによるアクセス毎に講師管理データベースに認証履歴を記録する。講師管理プログラムは、ログイン時間を各ログイン時刻とログアウト時刻とから算出し、予め定められた時間給データとの積から給与額も算出して講師管理データベースに記録する。
【００３５】
営業情報プログラムは、フランチャイジごとに与えたフランチャイジＩＤと、担当者名データと、ロイヤリティ比率と、担当生徒数と、積算ロイヤリティ額を、手入力または他のプログラムからデータとして受けて営業情報データベースに記録する。
仮想教室ディレクトリには、Ｗｅｂサーバ６０（以下ＷＳ６０と略す）に接続して認証されたＩＤが授業開始まで待機するディレクトリである。
Ｗｅｂアプリケーションプログラムは、生徒端末等から接続要求してきた信号のＩＤ、パスワードの正当性を判断して、正当な場合に仮想ディレクトリを示し、選択された仮想教室情報を端末で動作する授業プログラムに伝達する機能を有する。
【実施例２】
【００３６】
フランチャイズネットワーク授業システム４０は、教育を提供するフランチャイズ管理組織の基幹となるハードウェアからなるシステムであり、本発明を理解するためにフランチャイズ管理組織について説明し、その後にフランチャイズネットワーク授業システム４０について説明する。
（フランチャイズ管理組織）
【００３７】
フランチャイズ管理組織は、実施例１に示したフランチャイズネットワーク授業システム２をフランチャイジに提供し、より多数の生徒が受講可能な組織を構築する。フランチャイザであるフランチャイズ本部組織と、サポートセンタと、フランチャイジであるエリア指導センタと、サテライトスクールと、自宅生徒に対応するハードウェアが設置される。
【００３８】
フランチャイザであるフランチャイズ本部は、本フランチャイズシステム及びフランチャイジ統括本部と、ＶＰＮサーバ６６と、ＷＳ６０と、データベースサーバ６２と、ディレクトリサーバ６８とが設置される。
【００３９】
フランチャイジは、フランチャイザに一定の加盟金を入金してフランチャイズ組織に加盟する。生徒からの受講料は、フランチャイザに入金され、予め定められた基準に従いフランチャイザとフランチャイジに分配される。
【００４０】
フランチャイジであるエリア指導センタは、講師となる大学生の通学する大学の近傍に設置して、その内部に講師用端末を複数台配置する。原則として講師端末のみを配置するが、フランチャイズ本部のサーバ負荷が上昇した場合は、新たにＷｅｂサーバ、データベースサーバ、ＶＰＮサーバの何れかを配置する。エリア指導センタにデータベースサーバを設ける場合は、フランチャイザのデータベースサーバ６２とデータの同期を取るよう設定する。
【００４１】
サテライトスクールは、パイロットスクールおよび自宅にパーソナルコンピュータ有さない貸与端末が設置される。
【００４２】
サポートセンタは、サテライトスクール及び自宅からの通信接続トラブル対処機構を設置する。授業システムの円滑運用を目的とする。
（フランチャイズネットワーク授業システム４０）
【００４３】
続いて、図２を用いて本発明に係るフランチャイズネットワーク授業システム４０について示す。
【００４４】
フランチャイズネットワーク授業システム４０は、フランチャイズ本部に設置されるサーバ群４２と、指導センタに設置される端末群４４ａ，４４ｂと、サポートセンタに設置される端末群４６と、サテライトスクールに設置される端末群４８ａ、４８ｂと、生徒自宅に配置される端末群５０ａ，５０ｂとがインターネット５２を介して互いに接続されて構成される。
【００４５】
フランチャイズ本部に設置されるサーバ群４２は、ＷＳ６０と、データベースサーバ６４と、ＶＰＮサーバ６６と、ディレクトリサーバ６８と、ブランチ７２と、ファイアウォール７４と、インターネット接続装置７６とから構成される。
【００４６】
ＷＳ６０は、Ｗｅｂアプリケーションプログラムとを備える。Ｗｅｂアプリケーションプログラムは、ＷＳ６０にログインしてきたＩＤとパスワードが一致するか否かをデータベースサーバ６２に取り次ぎ認証する。ここで、認証とは、ログイン要求して送信されたＩＤ情報とパスワード情報がフランチャイズシステムデータベース６４に登録されたユーザ情報に存在するＩＤであることとパスワードが一致しているかで検証することである。Ｗｅｂアプリケーションプログラムは、端末から入力された条件に従ってデータベースを検索して出力データを決められた形に整形して、各端末に生徒側・スケジュールおよび取得コース、受講履歴、講師側・スケジュール、講義および受講生徒管理情報等を返信する。
【００４７】
データベースサーバ６２は、フランチャイズシステムデータベース６４を備えることを特徴とする。
【００４８】
フランチャイズシステムデータベース６４は、生徒・顧客・講師情報管理データベースと、授業予約管理データベースと、会計情報管理データベースと教材および教科書データベースとから構成される。
【００４９】
生徒・顧客・講師情報管理データベースは、生徒管理情報と、講師管理情報と、フランチャイジ管理情報と、トラブル管理情報とから構成される。
【００５０】
生徒管理情報は、生徒個人情報と、受講コース情報と、受講履歴情報と、サテライトスクール傘下情報と、成績・理解度情報と、授業進捗情報と、端末環境情報と月謝および請求、未納等の履歴情報等とから構成される。
【００５１】
講師管理情報は、講師個人情報と、指導センタ傘下情報と、講義履歴情報と、賃金単価情報と、講師個人情報に関連付けられるディレクトリサーバと仮想教室情報等から構成される。
【００５２】
フランチャイジ管理情報は、代理店情報と、利益配分情報であるランク情報から構成される。
【００５３】
トラブル管理情報は、生徒管理情報の端末環境情報とリンクされる。障害を起こした端末の接続不良等のトラブル情報データと、対応するトラブルシューティング事例情報から構成される。サポートセンタのトラブル対応データとして検索可能に記録される。
【００５４】
授業予約管理データベースは、授業コース情報と、顧客授業予約情報と、講師授業スケジュール情報と、授業実績情報とから構成される。
【００５５】
授業コース情報は、未就学児童、及び小学生から高校生までの、難易度に応じた年間受講スケジュール（カリキュラム）に掛かる情報で、各々のコースに対応可能生徒数と授業料単価情報から構成される。
【００５６】
顧客授業予約情報は、顧客の受講状況管理情報であり、月日と、時間帯と、コースＩＤと、講師ＩＤ、顧客ＩＤと、授業枠空き情報からなる。
【００５７】
講師授業スケジュール情報は顧客授業予約情報と連動し、講師の授業について月日と、時間帯と、コースＩＤと、生徒の予約状況と空き状況から構成される。
【００５８】
授業実績情報は、実際に実施された授業と、その進捗状況と、不測の事態による授業振替日程とから構成される。
【００５９】
会計情報管理データベースは、顧客からの授業料入金情報と、フランチャイジへの利益配分情報及び収支情報と、指導センタへの利益配分情報及び収支情報と、各指導センタ傘下講師への賃金情報と、フランチャイズ本部収支情報とから構成される。
【００６０】
顧客からの授業料入金情報は、直接データベースに手入力で入力される場合と、クレジットカード会社または銀行のサーバといずれかのフランチャイズ本部に設置されるサーバ群４２と接続されて受信する入金情報とすることもできる。
【００６１】
フランチャイジへの利益配分情報及び収支情報は、予め定められた利益配分率に基き、入金情報とから算出される利益配分情報と、その積算情報から構成される。
【００６２】
指導センタへの利益配分情報及び収支情報は、予め定められた利益配分率に基き、入金情報とから算出される利益配分情報と、その積算情報から構成される。
【００６３】
各指導センタ傘下講師への賃金情報は、実際に実施された授業と講師の時給から定まる賃金情報から構成される。
【００６４】
フランチャイズ本部収支情報は、顧客からの授業料入金情報の合計に対して、フランチャイジへの利益配分情報と指導センタへの利益配分情報と各指導センタ傘下講師への賃金情報との合計と、その他の経費を含めた収支情報から構成される。
【００６５】
ディレクトリサーバ６８は、予めその時間帯に行なわれる授業数に相当する仮想教室ディレクトリが生成される。この仮想教室ディレクトリには、ＷＳ６０に接続して認証されたＩＤが授業開始まで待機するディレクトリである。顧客授業予約情報と、講師名と仮想教室ディレクトリ番号とがリンクして顧客に通知される。この授業開始まで授業に参加する予定者が滞在し、講師ＩＤを含め授業待ちの生徒ＩＤ有無が判明する。
【００６６】
ＶＰＮサーバ６６は、各端末との接続についてインターネットを介して接続して認証を受けた端末に対してＶＰＮの仮想アドレスを端末に対して割り振ることで、端末との間に仮想私設回線を構築する。但し、ＶＰＮサーバと接続可能な端末にはＶＰＮの仮想アドレスを割り当てて端末を識別するが、もとよりグローバルＩＰを有する端末にはＶＰＮでなくグローバルＩＰによって端末を識別する。
また、ＶＰＮによるデータは暗号化の必要なデータのみを暗号化し、不要なデータは暗号化せずとすることでサーバの負荷を削減できる。
【００６７】
ブランチ７２は、複数のサーバ同士をスイッチング接続するハブである。
【００６８】
ファイアウォール７４は、フランチャイズ本部に設置されるサーバ群４２を不正なアクセスより防御することができるのであれば、パケットフィルタリング型とアプリケーションゲートウェイ型のいずれの型であっても良い。
【００６９】
インターネット接続装置７６は、インターネット５２とファイアウォール７４側ネットワークを接続するための装置である。
【００７０】
指導センタ４４ａ，４４ｂは、インターネット接続装置を介して複数の講師端末８０ａ〜８０ｄから構成される。
【００７１】
サテライトスクール４８ａ，４８ｂは、自宅に端末を有さない生徒向けの賃貸端末８８ａ〜８８ｄから構成される。フランチャイズシステムのパイロット店としての機能を持つ。賃貸端末の利用生徒は、逐次自宅からの接続会員とすることで、会員の増員を図る。不測の事態に備え、フランチャイジ側の管理員を置く。このような構成とすることで、生徒の通信環境を同一もののみとすることができ、また未就学児や小学生低学年の生徒が複数受講して管理員を配備することも集中力の低下を防ぐ。
【００７２】
生徒自宅５０ａ，５０ｂのように家庭に自前で端末を持つ生徒。管理上は、入会申込をしたフランチャイジ（サテライトスクール）の傘下である管理をし、ペイバックの一部は当該サテライトスクールの収入とする。
【００７３】
サポートセンタ（フランチャイズ本部直営）は、トラブル管理データベースを元に端末接続トラブルを解決する機構である。以上が、フランチャイズネットワーク授業システム４０の構成である。
【００７４】
次に図３を用いて、フランチャイズネットワーク授業システム４０の授業成立の手順について示す。図３の左側に講師端末フローを示し、図３の右側に生徒端末フローを示す。
【００７５】
まず、講師ＩＤとパスワードがデータベースサーバ６２(以下ＤＳと略す）に登録され、仮想教室情報も授業コースと共に登録される（Ａ２）。
【００７６】
講師端末上の授業プログラムが起動すると（Ａ４）、授業プログラム内のＷｅｂブラウザに指定されたＷＳ６０上のＨＴＭＬ形式で表示される。そのファイル上にはＩＤ、パスワード入力のためのインプットボックスが在り（Ａ６）、そこに入力された内容がＷＳ６０上のＷｅｂアプリケーションを経由してデータベースサーバのデータベースに渡され、その内容を元に検索をかける（Ａ８）。その結果が否ならそのデータが返され（Ａ１２）、可ならばその講師のスケジュール情報と、その講師が入室するべきディレクトリサーバと仮想教室情報がＷｅｂアプリケーションに渡される。Ｗｅｂアプリケーションは決められた形に整形してＨＴＭＬ形式として、それらの情報を表示する（Ａ１０）。それと同時に仮想教室情報（ディレクトリサーバＩＰアドレスを含む）が授業プログラムに渡される（Ａ１４）。その情報を元に講師は授業プログラム上の入室ボタンを押すことにより、授業プログラムがそのディレクトリサーバ上の仮想教室に接続に行く（Ａ１６）。
【００７７】
一方、生徒ＩＤ、パスワードは予め登録されていることを前提とする（Ｂ２）。
生徒端末上の授業プログラムが起動すると、授業プログラム内のブラウザに指定されたＷＳ６０上のＨＴＭＬ形式で表示される。その形式上にはＩＤ、パスワード入力のためのインプットボックスが在り、そこに入力（Ｂ６）された内容がＷＳ６０上のＷｅｂアプリケーションを経由してデータベースサーバのデータベースに渡され、その引数を元に検索をかける（Ｂ８）。その結果が否ならそのデータが（Ｂ１２）、可ならばその生徒の受講スケジュールとディレクトリサーバと仮想教室情報がＷｅｂアプリケーションに渡され、Ｗｅｂアプリケーションは決められたフォーマットに整形して端末上のブラウザにＨＴＭＬ形式として表示する（Ｂ１０）。
スケジュールが表示された場合、日付と時間を判断して、生徒が仮想教室に入れるかどうかの結果も一緒に表示する（Ｂ１０）。仮想教室に入れない場合、スケジュールの確認以上のアクションは起こらないが、入れる場合は、その表示情報をマウス等で選択することにより、入室するべきディレクトリサーバと、仮想教室情報が端末上の授業プログラムに渡される（Ｂ１４）。その情報を元に端末プログラムがディレクトリサーバ内の仮想教室に接続する（Ｂ１８）。また、講師のアドレス情報は、生徒の端末に送出される（Ｂ２０）。同じ他端末の識別情報も表示され（Ｂ２２）、授業開始の準備が整う。
【００７８】
次にディレクトリサーバは講師ＩＤを認識し、同一仮想教室内の全端末に、全端末の識別情報を送信する（Ａ１８）。他端末の識別情報を受信した各端末は、自己以外の端末と相互に通信を開始し（Ａ２０）、その後、授業が完了したら、授業完了ボタンを選択して完了させ（Ａ２２）、講師端末から、ＤＳデータベースへ授業生徒の出席状況と、講師端末から入力された授業理解度情報等が出力される。
【００７９】
同様に、生徒端末で授業が開始され（Ｂ２４）、その後授業が終了する（Ｂ２６）。
【００８０】
ここで、生徒端末としてさらなる参加者が登場しても同じ手順で授業が開始される。このため、同一の室内にある端末の接続であってもインターネット回線が使用される。このため、ネットワーク接続は、ＰＨＳ等の無線による接続方式であってもよい。
【００８１】
ｗｅｂサーバで認証させるためには、講師端末と、生徒端末に対してグローバル固定ＩＰアドレスを与えることで、識別することができる。
【００８２】
ＶＰＮサーバを利用する場合は、講師端末と、生徒端末をＶＰＮサーバのクライアントとして認証することにより仮想アドレスで端末の識別が可能である。
【００８３】
さらに、図４を用いて本発明に係るフランチャイズネットワーク授業システム４０において、システム管理者が授業予約を変更する場合のフローについて示す。
【００８４】
先ず、生徒の選択した授業コース情報がＤＳ６２の授業予約管理データベースに登録されてあることを前提とする（Ｃ２）。そこで、授業を変更したい生徒に依頼されたシステム管理者が端末よりＷＳ６０にログインして接続する（Ｃ４）。続いてＷＳ６０から授業予約ページを表示する（Ｃ６）。ここで、変更を希望する授業を選択する。さらに変更すべき授業の、コース名称、月日、時間、講師名等の条件を入力して該当するコースを検索する（Ｃ８）。検索の結果条件に適合するものがない場合は、再度条件を入力または、変更を断念する（Ｃ１０）。一方、希望する条件に適合するものが発見された場合は、授業の予約登録を行なう（Ｃ１２）。
【００８５】
次に、図５を用いて本発明に係るフランチャイズネットワーク授業システム４０において、生徒からの入金に対してフランチャイジの利益配分額の決定フローを示す。
【００８６】
まず、予め生徒の個人情報と、サテライトスクール傘下情報を生徒管理情報に登録しておく（Ｄ２）。次に、生徒からの入金授業料の額面が手入力または、クレジットカード会社等の外部のコンピュータから本発明に係るフランチャイズネットワーク授業システム４０に入力される（Ｄ４）。そこで、傘下のサテライトスクールの利益配分比率を会計情報管理データベースから検索して求める（Ｄ６）。検索された利益配分比率と、入金授業料の額面から、フランチャイジの利益配分額が算出される（Ｄ８）。
【実施例３】
【００８７】
実施例３として、生徒端末（以下ＳＴ）がグローバルＩＰ接続である端末と、プライベートＩＰ接続であるためにＶＰＮ接続を利用する端末とが、混在するため講師端末（以下ＴＴ）が切り替える場合について、本発明に係るフランチャイズネットワーク授業システム４０の授業成立の手順について示す。図６に講師端末（ＴＴ）フローを示し、図７に生徒端末（ＳＴ）フローを示す。
【００８８】
まず、ＴＴのフローチャート図６について示す。ここで、ＨＴＭＬファイルはＷｅｂアプリケーションが出力した静的なファイルを意味するものとする。
【００８９】
まず、講師に関連付けられた情報としてＤＳに、仮想教室情報はグローバルＩＰ用仮想教室情報とＶＰＮ用仮想教室情報が予め登録される（Ｅ２）。
【００９０】
授業プログラムが起動すると同時に、授業プログラムが授業プログラム内のＷｅｂブラウザにＷＳ６０上のASP/Ｗｅｂアプリケーションを指定したインターネットアドレスを送る（Ｅ４）。
授業プログラム内のＷｅｂブラウザがそのインターネットアドレスをもとにＷＳ６０上のASP/Ｗｅｂアプリケーション、すなわち認証ページを表示させる（Ｅ６）。
【００９１】
そのファイル上にはＩＤ，ＰＡＳＳ入力用のインプットボックスと送信ボタンが表示されている、インプットボックスに情報が入力され送信ボタンが押される（Ｅ８）と、Ｗｅｂアプリケーションプログラムが、入力された内容をもとにＳＱＬ文が発行する（Ｅ１０）。この段階では認証用のＳＱＬ文が発行される。
【００９２】
発行されたＳＱＬ文をもとにフランチャイズシステムデータベース６４が検索される（Ｅ１２）。
【００９３】
入力された情報に誤りがある、もしくは、検索対象が見つからない、検索対象のデータが何らかの理由で無効なデータとされている場合（Ｅ１２でＮＯの場合）はそのデータをＷｅｂアプリケーションに送りＷｅｂアプリケーションがアプリケーションプログラム内のブラウザにメッセージを表示させた後、インプットボックスのある（最初の）画面を表示する（Ｅ６）。
【００９４】
検索対象が有効だと判断された場合（Ｅ１２でＯＫである場合）、入力された内容をもとに新たなＳＱＬ文が発行され、この段階で発行されるＳＱＬ文はその講師のスケジュール情報と仮想教室情報用である（Ｅ１４）。
【００９５】
発行されたＳＱＬ文をもとにフランチャイズシステムデータベースが検索される。
【００９６】
これをもとに引き出されたデータをＷｅｂアプリケーションに渡しＷｅｂアプリケーションはそのデータをもとに決められた形に整形して授業プログラム内のブラウザに表示する。
【００９７】
その時、ブラウザに表示するために必要なインターンネットアドレスの引数として、仮想教室情報を埋め込む（引数となる仮想教室情報は決められた規則によって変換される）（Ｅ１８、Ｅ２２）。授業プログラムは、内にあるブラウザのインターネットアドレスが切り替わるたびに、そのアドレス内に決められた規則にのっとった形がないか探している。もしそのアドレス内に予め決められた規則性を発見した場合、授業プログラムはそのインターネットアドレスを分解し、仮想教室に関する部分を切り出してメモリ上に保管する。
【００９８】
授業プログラムは標準ではグローバルアドレスで仮想教室に向かうよう設定されていますが、授業プログラム上にあるＶＰＮ接続を希望するボタンが押された場合にかぎり（Ｅ４）、ＶＰＮ接続を作成し、ＶＰＮを希望したという接続判断をメモリに格納する。
【００９９】
授業プログラムが仮想教室に接続に行く場合、必ずメモリ上の接続判断を見に行くようになっており、メモリ上の接続判断にＶＰＮを希望する旨が格納されていた場合、同じくメモリ上の仮想教室情報のＶＰＮに関するアドレスを取り出して、そのＶＰＮアドレスを使って接続されたディレクトリサーバ内の仮想教室に接続に行く（Ｅ１８）。
【０１００】
ＶＰＮ接続する場合に、講師は授業プログラム上のＶＰＮ接続の入室ボタンを押すことにより、授業プログラムがそのディレクトリサーバ上の仮想教室に接続に行く（Ｅ２０）。ディレクトリサーバＤＳは講師ＩＤを認識し、同一仮想教室内の全端末に、全端末の識別情報を送信する（Ｅ２６）。他端末の識別情報を受信した各端末は、自己以外の端末と相互に通信を開始し（Ｅ２８）、その後、授業が完了したら、授業完了ボタンを選択して完了させ（Ｅ３０）、講師端末から、ＤＳデータベースへ授業生徒の出席状況と、講師端末から入力された授業理解度情報等が出力される（Ｅ３２）。
【０１０１】
一方、ＶＰＮ接続をＥ４で選択しない場合は、Ｅ１８に代わりメモリ上の仮想教室情報のグローバルＩＰ接続に関するアドレスを取り出して、そのグローバルＩＰアドレスを使って接続されたディレクトリサーバ内の仮想教室に接続に行く（Ｅ２２）。講師は授業プログラム上のグローバルＩＰ接続の入室ボタンを押すことにより、授業プログラムがそのディレクトリサーバ上の仮想教室に接続に行く（Ｅ２４）。以下は、ＶＰＮの場合と同様である。以上のように、本プログラムを使用することで講師端末ＴＴから、ＶＰＮ接続の生徒端末に対応する場合とグローバルＩＰ接続の生徒とに対応可能となる。
【０１０２】
続いて生徒端末ＳＴのフローチャート図７について示す。生徒がＶＰＮ接続かグローバルＩＰ接続を希望するという情報は入会と同時に生徒情報データベースに格納されている（Ｆ２）。
【０１０３】
授業プログラムが起動する（Ｆ４）と同時に、授業プログラムが、そのＷｅｂブラウザにＷＳ６０上のＡＳＰ/Ｗｅｂアプリケーションを指定したインターネットアドレスを送る。
授業プログラム内のＷｅｂブラウザがそのインターネットアドレスをもとにＷＳ６０上のＡＳＰ/Ｗｅｂアプリケーション（認証ページ）を表示させる（Ｆ６）。
【０１０４】
そのファイル上にはＩＤ，ＰＡＳＳ入力用のインプットボックスと送信ボタンが表示されている、インプットボックスに情報が入力され送信ボタンが押される（Ｆ８）と、Ｗｅｂアプリケーション上で、入力された内容をもとにＳＱＬ文が発行される。この段階では認証用のＳＱＬ文が発行される（Ｆ１０）。
【０１０５】
発行されたＳＱＬ文をもとにフランチャイズシステムデータベースが検索される（Ｆ１２）。
【０１０６】
入力された情報に誤りがある、もしくは、検索対象が見つからない、検索対象のデータが何らかの理由で無効なデータとされている場合（Ｆ１２でＮＯの場合）はそのデータをＷｅｂアプリケーションに送りＷｅｂアプリケーションがアプリケーションプログラム内のブラウザにメッセージを表示させた後、インプットボックスのある（最初の）画面を表示する（Ｆ６）。
【０１０７】
検索対象が有効だと判断された場合（Ｆ１２でＯＫの場合）、入力された内容と予め登録されたＶＰＮ接続又はグローバルＩＰ接続を希望するという情報をもとに新たなＳＱＬ文が発行される。この段階で発行されるＳＱＬ文はその生徒のスケジュール情報とそのスケジュールに沿った仮想教室情報用である（Ｆ１４）。
【０１０８】
発行されたＳＱＬ文をもとにフランチャイズシステムデータベース６４が検索される。
これをもとに引き出されたデータをＷｅｂアプリケーションに渡しＷｅｂアプリケーションはそのデータをもとに決められた形に整形して授業プログラム内のブラウザに表示する。
【０１０９】
その時、ブラウザに表示するために必要なインターンネットアドレスの引数として、ＶＰＮを希望するという情報を埋め込む（引数となるＶＰＮを希望するという情報は決められた規則によって変換される）。授業プログラムは、内にあるブラウザのインターネットアドレスが切り替わるたびに、そのアドレス内に決められた規則にのっとった形がないか探している。もしそのアドレス内に予め決められた規則性を発見した場合、授業プログラムはそのインターネットアドレスを分解し、ＶＰＮを希望する情報に関する部分を切り出してメモリ上に保管する。
【０１１０】
授業プログラムはメモリ上にＶＰＮを希望する情報を見つけると、授業プログラム上にＶＰＮ接続ボタンを出現させる。そのボタンを押すことによってディレクトリサーバとのＶＰＮ接続が作成され、ＶＰＮを希望したという接続判断をメモリに格納する。授業プログラム内のＷｅｂブラウザ上にスケジュールが表示された場合、日付と時間を判断して、生徒が仮想教室に入れるかどうかの結果も一緒に表示する。
【０１１１】
仮想教室に入れない場合（Ｆ１６ＮＯの場合）、スケジュールの確認以上のアクションは起こらないが、入れる場合は、その表示情報をマウス等で選択することにより、入室するべきディレクトリサーバと、仮想教室情報が端末上の授業プログラムに渡される（Ｆ１８）。
【０１１２】
その情報を元に端末プログラムがディレクトリサーバ内の仮想教室に接続する(このときＶＰＮを希望したという接続判断をメモリ上に発見した場合ＶＰＮアドレスを使用してディレクトリサーバ内の仮想教室に接続する)（Ｆ２０）。
【０１１３】
また、講師のアドレス情報は、生徒の端末に送出される（Ｆ２２）。同じ他端末の識別情報も表示（Ｆ２６）され、授業開始の準備が整う。生徒端末で授業が開始され（Ｆ２８）、その後授業が終了する（Ｆ３０）。
【０１１４】
以上のように、生徒の場合は、登録時にＶＰＮまたは、グローバルＩＰ接続であると決定後は特に、いずれかを選択することなく登録時の方式のみで接続する。
【実施例４】
【０１１５】
次に本発明に係るフランチャイズネットワーク授業システム４０におけるサテライトスクール４８ａ，４８ｂのフランチャイズネットワーク授業建物１２０の平面図を図８に示す。
【０１１６】
フランチャイズネットワーク授業建物１２０は、北側面に入口を備え、西側に洗面所とトイレを有し、洗面所の南側にソファを有し、入口近傍に応接用の机と椅子を有し、北東には５台の机と椅子を並べその机の上に、フランチャイズネットワーク授業システム４０における複数台の端末である。ランチャイズネットワーク授業建物１２０は、さらに東側中央に作業用机１卓と管理者用の机と椅子とが配置される。
なお、ここで方位及び端末の台数は上記に限定されるものではなく、建物の方向と端末等の台数は設計変更の範囲内で変更可能である。
【０１１７】
さらに、フランチャイズネットワーク授業システム４０における複数台の端末は、全て特定の速度以上のインターネット接続装置に接続されており、さらにそのインターネット接続装置は、外部とブロードバンド回線によって接続される。
【０１１８】
このため、この複数台の端末は、いずれもネットワーク環境が特定の速度以上であり、他のモデルとの差異が生じることなく済んでいる。また、管理者が存在するため、未就学児や小学生低学年の生徒が複数受講しても管理員を配備することで集中力の低下を防ぐことができる。
【図面の簡単な説明】
【０１１９】
【図１】本発明に係るフランチャイズネットワーク授業システム２の構成図である。（実施例１）
【図２】本発明に係るフランチャイズネットワーク授業システム４０構成図を示す。（実施例２）
【図３】フランチャイズネットワーク授業システム４０の授業成立の手順を示す。
【図４】本発明に係るフランチャイズネットワーク授業システム４０において、生徒が授業予約を変更する場合のフローを示す。
【図５】本発明に係るフランチャイズネットワーク授業システム４０において、生徒からの入金に対してフランチャイジの利益配分額の決定フローを示す。
【図６】本発明に係るフランチャイズネットワーク授業システム４０の第３実施例における講師端末の授業成立の手順を示す。
【図７】本発明に係るフランチャイズネットワーク授業システム４０の第３実施例における生徒端末の授業成立の手順を示す。
【図８】本発明に係るフランチャイズネットワーク授業システム４０におけるサテライトスクール４８ａ，４８ｂのフランチャイズネットワーク授業建物１２０の平面図を示す。
【符号の説明】
【０１２０】
２  フランチャイズネットワーク授業システム
４ａ  端末
４ｂ  端末
６  中央演算処理装置ＣＰＵ
８  ＲＯＭ
１０  ＲＡＭ
１２  ＨＤＤ
１４  バス配線
１６  入力インターフェース
１８  出力インターフェース
２０  通信インターフェース
２６  ＣＤ−ＲＯＭプレイヤー
２８  簡易カメラ
３０  ペン入力タブレット
３２  ルータ
３４  インターネット
４０  フランチャイズネットワーク授業システム
４２  フランチャイズ本部に設置されるサーバ群
５０ａ，５０ｂ  生徒自宅
６０  ｗｅｂサーバ
６２  データベースサーバ
６４  フランチャイズシステムデータベース
６６  ＶＰＮサーバ
６８  ディレクトリサーバ
７２  ブランチ
７４  ファイアウォール
７６  ルータ
８０ａ〜８０ｄ  講師端末
８８ａ〜８８ｄ  賃貸端末
【図３】
2005063102.tif 000003
【図４】
2005063102.tif 000004
【図５】
2005063102.tif 000005
【図６】
2005063102.tif 000006
【図７】
2005063102.tif 000007
【図１】
2005063102.tif 000008
【図２】
2005063102.tif 000009
【図８】
2005063102.tif 000010